(57)【特許請求の範囲】
【請求項１】
洗濯水の循環利用機能を有する洗濯機の制御方法であって、前記制御方法は、洗濯機の洗濯過程が終了した後、
工程１、洗濯水を凝集槽に流入させる；
工程２、最上部に取り付けられた、取水を凝集槽に流入させるノズルと、底部に配置された排水口とを備える凝集槽内で撹拌、凝集、静置して層化する；
工程３、凝集後のきれいな循環水を洗濯槽に還流し、凝集物が残った汚れた水を排出する；
工程４、洗濯槽内にすすぎ水位まで水道水を給水する；
工程５、すすぎを実行する；を順番に実行し、
前記工程２は、以下の制御工程、
工程２１、前記凝集槽の水位が、前記凝集槽に設置された攪拌装置より上にある撹拌処理水位Ｌ２に達しているかどうかを判断し、達していない場合、引き続き前記凝集槽に洗濯水を流入させ、達している場合、撹拌時間をＴ１に設定し、凝集剤投入時間をＴ２に設定し、Ｔ１時間＞Ｔ２時間とし、撹拌を開始し、Ｔ２時間で凝集剤を投入し、Ｔ１時間で攪拌を終了する；
工程２２、工程２１を実行するのと同時に、前記撹拌処理水位Ｌ２より高い処理水位Ｌ１に達しているかどうかを判断し、達していない場合、引き続き前記凝集槽に洗濯水を流入させ；達している場合、前記凝集槽に洗濯水を流入させるのを停止する；
工程２３、工程２１および工程２２過程がいずれも終了した後、凝集槽を時間Ｔ３静置すると、凝集反応物はきれいな循環水の上表面に浮く；を含み、
前記攪拌装置は、
前記凝集槽内に水平に設置された回転軸と、
前記回転軸に取り付けられ、前記回転軸を中心にして垂直に回転するベルトプーリと、
前記ベルトプーリの円周方向に沿って配置され、前記ベルトプーリから径方向に沿って延伸する複数の攪拌ロッドと、
前記攪拌ロッドにそれぞれ設けられる攪拌ブレードと、を含むことを特徴とする制御方法。
【請求項２】
工程５が終了すると、所定のすすぎ回数に達しているかどうかを判断し、達している場合、凝集槽を洗浄して、洗濯槽内の洗濯水を排出し；達していない場合、工程１から工程５を順番に実行することを特徴とする、請求項１に記載の洗濯水の循環利用機能を有する洗濯機の制御方法。
【請求項３】
前記工程３で凝集槽のきれいな循環水を洗濯槽に還流する過程を実行する前に、循環水の濁度測定を設け、凝集槽内の循環水が基準に達している場合、工程３を実行し；循環水が基準に達していない場合、洗濯槽および凝集槽内の循環水と、凝集反応物とをすべて排水管から排出し、洗濯槽に新たに水道水を取水することを特徴とする、請求項１に記載の洗濯水の循環利用機能を有する洗濯機の制御方法。
【請求項４】
凝集槽が工程３で凝集槽のきれいな循環水を洗濯槽に還流する過程において、凝集槽内が水位Ｌ３に達しているかどうかを判断し、達していない場合、引き続き水位Ｌ３まで還流し；達している場合、還流を停止することを特徴とする、請求項１に記載の洗濯水の循環利用機能を有する洗濯機の制御方法。
【請求項５】
洗濯機が洗濯プログラムを開始する前に、ユーザが洗濯モードを選択し、通常モードが選択された場合、洗濯機は、洗い洗濯水を循環利用しない普通の洗濯プログラムを実行し；節水モードが選択された場合、洗濯機は、洗濯機の洗濯過程が終了した後、工程１〜５を順番に実行することを特徴とする、請求項１〜４のいずれか１項に記載の洗濯水の循環利用機能を有する洗濯機の制御方法。
【請求項６】
外槽と、前記外槽内に設けられる洗濯槽と、外槽外部に設けられる循環水処理装置とを含み、前記循環水処理装置は、外槽から排出される水を凝集処理する凝集槽を含み、前記凝集槽中に内部の水を撹拌する撹拌装置が設けられ、請求項１〜５のいずれか１項に記載の制御方法を採用して洗濯水を循環利用することを特徴とする洗濯機。
【発明の詳細な説明】
【技術分野】
【０００１】
本発明は洗濯機分野に関し、具体的に循環節水洗濯機であり、特に洗濯水の循環利用機能を有する洗濯機の制御方法である。
【背景技術】
【０００２】
人々の生活水準が向上するのに伴い、洗濯機はすでに日常生活における主要な家電の一つとなっている。洗濯機の衣類洗浄過程は主に、洗濯、すすぎ、脱水の数段階を含み、洗濯段階で洗濯機は取水し、洗剤で衣類を洗濯する。すすぎ段階に進むと、汚れおよび残った洗剤を洗い流すため、より多くの水を取水するか、またはより多くの回数で衣類をすすぐ必要があり、これは必然的に大量の水資源を浪費する。たとえ節水のドラム式洗濯機であっても、衣類をすすぐため、少なくとも２回のすすぎが必要であり、この過程は少なくとも３０Ｌ以上の水道水を消費する。衣類の汚れが比較的少ないか、または投入する洗剤が比較的少なく、２回できれいにすすぐことができることもあるが、ユーザが３回のすすぎを選択することにより、必然的に水資源の浪費となる。例えば６Ｋｇの全自動洗濯機は、一般的に２回すすぐと基本的に１００リットル前後の水を使用する。どのようにして衣類を洗浄するのと同時に、節水、節電を行うかは、常に消費者の関心を集める焦点の１つである。
【０００３】
現在までに、家庭用洗濯機に組み合わせて使用する水浄化および循環利用装置は未だない。たとえいわゆる節水機能を備えた洗濯機であっても、一般的には洗濯機の側部に貯水タンクを取り付け、水ポンプで注水および排水を行う。一般的に１回の注水ですすぎを３回行うことができ、節水機能を示すものである。しかし、洗濯後の水を保存することができず、それと同時に洗濯機自体の構造が複雑、膨大になり、輸送、回収処理などに不利である。体積、構造および適応性などの制限により、洗濯機が元々有する機能および節水タンク自体の機能を充分に発揮するのに影響を及ぼしている。さらに、該技術の節水効率は低い。
【０００４】
さらに、既存の衣類洗浄方式を基にして、水資源をより良好に節約するため、技術方式で洗濯および／またはすすぎ水を浄化することにより、洗濯過程で循環利用し、節水の目的を達成する。凝集の方法を採用して洗濯水を処理し、処理後の水をすすぎに用いる。凝集剤および洗濯水中の汚れおよび洗剤が反応して凝集物が生成され、沈殿または浮遊し、これにより水および汚染物を分離し、浄化する目的を達成する。
【０００５】
したがって、凝集方式を採用して洗濯水を浄化し、すすぎに用いる洗濯機の制御方法を提供し、これにより洗濯機の洗濯、すすぎ過程および水処理過程を組み合わせ、１つの槽の水のみを使用して洗濯およびすすぎの全過程を完了することができる。しかし、既存技術において、洗濯水の循環利用を実現する類似の制御方法はない。
【０００６】
このことを考慮して、本発明を示す。
【発明の概要】
【発明が解決しようとする課題】
【０００７】
本発明の目的は既存技術の不足を克服することであり、洗濯水の循環利用機能を有する洗濯機の制御方法を提供し、水の凝集過程および洗濯機の洗濯、すすぎ過程を組み合わせて、１つの洗濯過程全体を形成する。洗濯水を循環利用することができ、節水の目的を達成する。該方法は撹拌の方式も採用し、水の凝集過程の循環水を充分に浄化する。
【課題を解決するための手段】
【０００８】
該目的を実現するため、本発明は以下の技術案を採用する。洗濯水の循環利用機能を有する洗濯機の制御方法において、前記方法は以下の工程を含む。
工程１、洗濯機の洗濯が終了した後、洗濯水を凝集槽に流入させる。
工程２、凝集槽内で撹拌、凝集、静置して層化する。
工程３、凝集後のきれいな循環水を洗濯槽に還流し、凝集物が残った汚れた水を排出する。
工程４、洗濯槽内にすすぎ水位まで水道水を給水する。
工程５、すすぎを実行する。
【０００９】
さらに、前記工程２において、先に凝集槽中の洗濯水を一定時間撹拌し、撹拌過程で凝集剤を投入して凝集反応を行う。撹拌の終了後、一定時間静置し、凝集物および水を層化する。
【００１０】
本発明において、洗濯槽内にすすぎ水位まで水道水を給水し、さらに洗濯槽内の洗濯水がすすぎ水位Ｌ４に達しているかどうかを判断する。達している場合、工程５を実行し；達していない場合、すすぎ水位Ｌ４に達するまで工程４を実行する。
【００１１】
好ましくは、１回目のすすぎプログラムの前のみ水位を判断し、さらにすすぎ水位Ｌ４まで給水する。
【００１２】
さらに、工程５が終了すると、所定のすすぎ回数に達しているかどうかを判断する。達している場合、凝集槽を洗浄してから、洗濯槽内の洗濯水を排出し；達していない場合、工程１を実行する。
【００１３】
さらに、前記工程２の制御工程は以下の通りである。
工程２１、凝集槽が撹拌処理水位Ｌ２に達しているかどうかを判断する。達していない場合、引き続き凝集槽に洗濯水を流入させ：達している場合、撹拌プログラムを起動する。前記撹拌プログラムの時間をＴ１に設定し、前記撹拌プログラムでＴ２時間まで撹拌した後、凝集剤を投入する。
工程２２、工程２１過程を実行するのと同時に、処理水位Ｌ１に達しているかどうかを判断する。達していない場合、引き続き凝集槽に洗濯水を流入させ；達している場合、凝集槽に洗濯水を流入させるのを停止する。
工程２３、工程２１および工程２２過程がいずれも終了した後、凝集槽を時間Ｔ３静置すると、凝集反応物はきれいな循環水の上表面に浮く。
【００１４】
さらに、前記Ｌ１処理水位はＬ２処理水位より高く、Ｔ１時間はＴ２時間より長い。
【００１５】
さらに、前記工程３で凝集槽のきれいな循環水を洗濯槽に還流する過程を実行する前に、循環水の濁度測定を設ける。凝集槽内の循環水が基準に達している場合、工程３を実行し；循環水が基準に達していない場合、洗濯槽および凝集槽内の循環水と、凝集反応物とをすべて排水管から排出し、洗濯槽に新たに水道水を取水する。
【００１６】
さらに、前記工程３において、凝集槽から初めにきれいな循環水を洗濯槽に還流するとき、凝集回数に達しているかどうかを判断する。達していない場合、引き続き工程２を実行し；達している場合、工程４を実行する。
【００１７】
さらに、凝集槽が工程３で凝集槽のきれいな循環水を洗濯槽に還流する過程において、凝集槽内が水位Ｌ３に達しているかどうかを判断する。達していない場合、引き続き水位Ｌ３まで還流し；達している場合、還流を停止する。
【００１８】
さらに、洗濯機が洗濯プログラムを開始する前に、ユーザが洗濯モードを選択する、および／または洗濯機が洗濯モードを自動的に判断する。ユーザが通常モードを選択した場合、洗濯機は普通の洗濯プログラムを実行し；ユーザが節水モードを選択した場合、洗濯機は工程１〜５に応じて順番に実行する。
【００１９】
さらに、前記制御方法は節水洗濯プログラムをさらに含む。洗濯機の起動後、節水洗濯プログラムモードに設定する。衣類量の測定を実行し、取水量、洗剤使用量および洗濯時間などの洗濯パラメータを計算し、さらに計算量に基づいて洗濯過程を実行し、その後、工程１を実行する。
【００２０】
本発明は、洗濯機の洗濯過程およびすすぎ過程を、凝集過程と組み合わせるように設置することにより、洗濯過程の終了後、洗濯水を凝集槽に流入させる。排水過程で同時に洗濯水を撹拌し、一定時間撹拌して凝集剤を投入し、さらに引き続き撹拌することにより、洗濯水を充分に浄化し、処理した洗濯水を再び洗濯槽に還流する。さらに洗濯槽内のすすぎ水位Ｌ４を測定し、すすぎ水位に達していない場合、取水弁からすすぎ水位に達するまで取水してから、すすぎ過程を行う。すすぎ過程の終了後、洗濯水を凝集槽に流入させ、上記工程に応じて洗濯水を処理する。その後、洗濯槽に還流し、すすぎ回数に達すると、洗濯を終了する。
【００２１】
本発明のもう１つの目的は洗濯機を提供することであり、外槽と、外槽内に設けられる衣類洗浄構造と、外槽外部に設けられる循環水処理装置とを含む。前記循環水処理装置は、外槽から排出される水を凝集処理する凝集槽を含み、前記凝集槽内に内部の水を撹拌する撹拌装置が設けられる。本発明の前記洗濯機は、上記制御方法を採用して洗濯水を循環利用する。
【００２２】
さらに、前記洗濯機は主制御盤、洗剤自動投入装置、水位測定装置、および衣類量取得装置を含む。前記主制御盤が洗濯プログラムを設定してから、衣類量取得装置が衣類量を取得し、端末が洗濯水量、洗剤投入量および洗濯時間などの洗濯パラメータを計算し、その後洗濯を起動する。計算量に基づいて、洗剤自動投入装置が洗剤を投入し、水位測定装置が取水量を測定する。
【００２３】
さらに、前記凝集槽中に水平に設置される回転軸が設けられ、回転軸に回転軸を中心にして回転する少なくとも１つの撹拌ロッドが取り付けられ、撹拌ロッドにそれぞれ撹拌ブレードが設けられる。凝集槽に駆動モータが設けられ、駆動モータはベルトにより回転軸を回転させる。
【００２４】
さらに、前記凝集槽の最上部に、取水を凝集槽に流入させるノズルが設けられる。前記ノズルが取水水流を凝集槽の側壁の各部分に均等に噴射することにより、取水水流は凝集槽の側壁に付着した凝集物を効果的に自動洗浄することができる。
【００２５】
さらに、前記凝集槽に取水口、出水口および排水口が設けられる。外槽の出水口は、第１水ポンプを有する管路を介して凝集槽の取水口と通じ、凝集槽の出水口は、第２水ポンプを有する管路を介して外槽の取水口と通じ、これにより洗濯水が外槽および凝集槽の間で制御可能に循環する回路が形成される。前記凝集槽の排水口は、排水弁を有する管路を介して洗濯機の外部と通じる。
【００２６】
さらに、循環水処理装置はろ過装置も含むことができる。ろ過装置の両端はそれぞれ凝集槽の出水口、外槽の取水口と通じ、外槽中に還流される凝集水に対して凝集物および清浄水の分離を行い、凝集処理後の清浄水を外槽に還流する目的を実現する。
【００２７】
本発明において、前記洗濯機は上記装置を採用し、前記方法により、洗濯、すすぎプログラムを凝集プログラムと組み合わせ、洗濯水の循環利用を実現し、最終的に１つの槽の水のみを使用して、衣類の洗濯およびすすぎ過程を完了することができることを実現した。本発明は構造が簡単で、節水効果は顕著であり、製造コストが低い利点を有する。
【００２８】
以下、図を組み合わせて、本発明の発明を実施するための形態について、さらに詳細に記載する。
【図面の簡単な説明】
【００２９】
【図１】図１は、本発明の実施例における洗濯水を循環利用するフローチャートである。
【図２】図２は、本発明の実施例における洗濯機動作のフローチャートである。
【図３】図３は、本発明のもう１つの実施例におけるフローチャートである。
【図４】図４は、本発明の実施例における洗濯機の構造概要図である。
【図５】図５は、本発明の実施例における循環水処理装置の構造概要図である。
【発明を実施するための形態】
【００３０】
本発明の上記目的、特徴および利点をより明確に分かりやすくするため、以下、図および発明を実施するための形態を組み合わせて、本発明について、さらに詳細に説明する。
【００３１】
図４に示すように、本発明の実施例の前記洗濯機は、内部に既存の洗濯機構造が設けられ、循環水処理装置も設けられる。洗濯機構造は外槽、外槽内に設けられる内槽、ドア体、制御パネル、取水システムおよび洗濯モータを含む。外槽底部および上部は、それぞれダンパおよびサスペンションスプリングを介して筐体のフレームと接続され、取水システムは取水構造および洗剤自動投入装置を含む。前記外槽は洗濯水を収容する収容構造であり、外槽内に設けられる内槽は衣類洗浄構造である。外槽は、取水構造と通じる。
【００３２】
本発明の実施例の前記循環水処理装置は、少なくとも凝集処理ユニットを含む。凝集処理ユニットは、外槽と通じる凝集槽と、凝集槽内に凝集剤を投入する凝集剤投入装置とを含み、外槽から凝集槽内に排水して凝集処理を行う。
【００３３】
図５に示すように、前記凝集槽に取水口、出水口および排水口が設けられる。外槽の出水口は、第１水ポンプ２を有する管路を介して凝集槽１の取水口と通じ、凝集槽１の出水口は、第２水ポンプ３を有する管路を介して外槽の取水口と通じ、これにより洗濯水が外槽および凝集槽の間で制御可能に循環する回路が形成される。前記凝集槽１の排水口は、排水弁４を有する管路を介して洗濯機の外部と通じる。
【００３４】
好ましくは、循環水処理装置はろ過ユニットも含むことができる。ろ過ユニットは、凝集処理ユニットが処理した後の凝集処理水をろ過処理して、凝集物および清浄水を分離する。凝集物および清浄水の分離を実現するのに、ろ過装置を採用しなくてもよい。例えば、凝集槽中に水位センサを設置することにより、凝集槽中の液面を終始一定の高さに保持する。これにより、凝集槽の水面部分に浮いた凝集物は終始凝集槽中に残り、凝集水中の凝集物を除去する目的も達成した。
【００３５】
本発明において、前記凝集槽１に取水口、出水口および排水口が設けられる。外槽の出水口は、第１水ポンプ２を有する管路を介して凝集槽１の取水口と通じ、凝集槽１の出水口は、第２水ポンプ３を有する管路を介して外槽の取水口と通じ、これにより洗濯水が外槽および凝集槽１の間で制御可能に循環する回路が形成される。前記凝集槽１の排水口は、排水弁４を有する管路を介して洗濯機の外部と通じる。
【００３６】
本発明において、凝集槽中に、内部の水を撹拌する撹拌装置が設けられる。前記撹拌装置は、既存技術のいずれか１つの構造で、凝集槽中の水を撹拌することができる装置でよい。例えば、図５に示すように、凝集槽用撹拌構造において、撹拌構造は凝集槽１中に水平に設置される回転軸を含み、回転軸に回転軸を中心にして垂直に回転するベルトプーリ８が取り付けられ、ベルトプーリ８は径方向に沿って複数の撹拌ロッドを延伸する。撹拌ロッドに、それぞれ撹拌ブレード５が設けられる。凝集槽１の最上部に駆動モータ６がさらに設けられ、駆動モータはベルトによりベルトプーリ８を回転させる。これにより、凝集槽中の水を撹拌することができ、撹拌水流は凝集物をばらばらにして水と混合することができる。さらに、取水水流は凝集槽の最上部のノズル７から凝集槽中に流入する。
【００３７】
本実施例において、前記洗濯機装置の洗濯、すすぎプログラムを凝集プログラムと組み合わせて、１つの洗濯過程全体を形成する。該装置は、洗濯水を循環利用する機能を有する洗濯機である。
【００３８】
図１に示すように、前記洗濯機の洗濯水の循環利用を実現するため、本発明は、洗濯水の循環利用機能を有する洗濯機の制御方法を示す。以下の工程を含む。
工程１、洗濯機の洗濯が終了した後、洗濯水を凝集槽に流入させる。
工程２、凝集槽内で撹拌、凝集、静置して層化する。
工程３、凝集後のきれいな循環水を洗濯槽に還流し、凝集物が残った汚れた水を排出する。
工程４、洗濯槽内にすすぎ水位まで水道水を給水する。
工程５、すすぎを実行する。
【００３９】
前記方法は、洗濯、すすぎプログラムを凝集プログラムと組み合わせることにより、洗濯水の循環利用を実現し、最終的に１つの槽の水のみを使用して、衣類の洗濯およびすすぎ過程を完了することができることを実現した。
【実施例】
【００４０】
実施例１
本実施例において、工程４で洗濯槽内にすすぎ水位まで水道水を給水し、さらに洗濯槽内の洗濯水がすすぎ水位Ｌ４に達しているかどうかを判断する。達している場合、工程５を実行し；達していない場合、すすぎ水位Ｌ４に達するまで工程４を実行する。
【００４１】
好ましくは、１回目のすすぎプログラムの前のみ水位を判断し、さらにすすぎ水位Ｌ４まで給水する。
【００４２】
本実施例において、工程５が終了すると、所定のすすぎ回数に達しているかどうかを判断する。達している場合、凝集槽を洗浄してから、洗濯槽内の洗濯水を排出し；達していない場合、工程１を実行する。
【００４３】
本実施例において、１回目のすすぎプログラムの前のみ水位を判断し、目標水位まで洗濯水を補充する。主に、凝集槽内に残った凝集層に一定量の水が残留し、循環過程における管路、フィルタ中に同様に一定量の水が残留するため、洗濯槽内の水量が減少し、洗濯モータが過負荷となり、寿命に影響を及ぼす。さらに通常プログラムですすぎに比較的高い水位を使用すると、すすぎ効果を上昇させることができる。循環利用は、給水を１回行えば、すべての循環のすすぎ効果を上昇させることができるため、水位を測定して給水するのは、１回目のすすぎのみである。
【００４４】
実施例２
本実施例において、前記工程２で、先に凝集槽内で撹拌してから、凝集剤を投入する。凝集剤を投入した後、引き続き一定時間撹拌して終了し、最後に静置して層化する。
【００４５】
本実施例において、前記工程２の制御工程は以下の通りである。
工程２１、凝集槽が撹拌処理水位Ｌ２に達しているかどうかを判断する。達していない場合、引き続き凝集槽に洗濯水を流入させ；達している場合、撹拌プログラムを起動する。前記撹拌プログラムの時間をＴ１に設定し、前記撹拌プログラムでＴ２時間まで撹拌した後、凝集剤を投入する。
工程２２、工程２１過程を実行するのと同時に、処理水位Ｌ１に達しているかどうかを判断する。達していない場合、引き続き凝集槽に洗濯水を流入させ；達している場合、凝集槽に洗濯水を流入させるのを停止する。
工程２３、工程２１および工程２２過程がいずれも終了した後、凝集槽を時間Ｔ３静置すると、凝集反応物はきれいな循環水の上表面に浮く。
【００４６】
本実施例において、前記Ｌ１処理水位はＬ２処理水位より高いが、Ｌ１およびＬ２水位は近い。前記Ｌ１は凝集槽の満載水位であり、Ｌ２水位は撹拌装置が埋まる水位であり、撹拌装置の空撹拌を防止し、撹拌装置の使用寿命を延長させる。前記Ｔ１時間はＴ２時間以上であり、Ｔ１時間は撹拌プログラム全体の時間である。前記Ｔ２時間は凝集剤を投入する時点であり、凝集剤を投入する時間は極めて短い。撹拌プログラムの開始後、撹拌時間が短い場合、Ｔ２時間に達すると凝集剤を投入する。
【００４７】
本実施例において、前記工程２でＴ２時間まで撹拌した後、凝集剤を投入し、さらに引き続き一定時間撹拌し、凝集剤および洗濯水を充分に接触反応させる。前記水位Ｌ１はＬ２より高く、洗濯水を凝集槽に流入させる過程で洗濯水を撹拌し、洗濯水を混合して均等にし、より良好に凝集剤と接触反応させることを保証する。
【００４８】
実施例３
本実施例において、前記凝集槽内に濁度測定装置がさらに設けられ、凝集槽内の処理後の循環水に対して濁度の測定を行う。
【００４９】
図３に示すように、前記工程３で凝集槽のきれいな循環水を洗濯槽に還流する過程を実行する前に、循環水の濁度測定を設ける。凝集槽内の循環水が基準に達している場合、工程３を実行し；循環水が基準に達していない場合、洗濯槽および凝集槽内の循環水と、凝集反応物とをすべて排水管から排出し、洗濯槽に新たに水道水を取水する。
【００５０】
本実施例において、洗濯機に数種の洗濯モードが設けられ、異なるモードでは、対応する取水量および衣類洗濯のパラメータが異なる。したがって、洗濯機に様々な凝集回数を対応して設定する必要があり、これにより凝集プログラム後の水受け槽における洗濯水の清浄度がすすぎの要求を満たすことを保証する。したがって、工程３に凝集回数を満たしているかどうかの判断を加える。前記工程３で凝集槽から初めにきれいな循環水を洗濯槽に還流するとき、凝集回数に達しているかどうかを判断する。達していない場合、引き続き工程２を実行し；達している場合、工程４を実行する。
【００５１】
凝集回数が目標に達しているかどうかを判断する具体的な過程は、以下の通りである。
工程３１、洗濯水の取水量および／または衣類洗濯のパラメータに基づいて、基礎的な凝集回数Ｎ１を対応して設定する。洗濯プログラムの終了後、水受け槽中の洗濯水の濁度を測定し、濁度の測定値に基づいて、変量の凝集回数Ｎ２を対応して設定する。
工程３２、洗濯機が洗濯水からすすぎ水を得るのに必要な凝集回数Ｎ＝Ｎ１＋Ｎ２を得る。
工程３３、上記実施例１の工程３を実行した後、累計値に１を加え、得られた累計値を凝集回数Ｎと比較する。累計値がＮより小さいとき、工程３４を実行し；累計値がＮに達しているとき、工程３５を実行する。
工程３４、再度、上記実施例１の工程２を実行する。
工程３５、凝集が完了し、上記実施例１の工程４を実行する。
【００５２】
上記方式により、洗濯機は取水量および／または衣類のパラメータおよび／または洗濯水の清浄度により、対応して凝集槽の洗濯水に対する凝集回数Ｎを予め設定する。毎回の凝集後、きれいな循環水を洗濯槽に還流する前に、所定の回数Ｎに達しているかどうかを判断し、凝集が完了したかどうかを判断する。これにより様々な洗濯プログラム下の対応する様々な容量、様々な清浄度の洗濯水が、凝集処理されて、後続のすすぎの要求を満たすことができることを保証する。
【００５３】
これにより、洗濯水を凝集処理した後の循環水の清浄度を保証し、凝集後に依然として濁度が比較的高い水が還流して、洗濯衣類の二次汚染が引き起こされるのを防止し、衣類の洗濯およびすすぎ過程の高い洗浄能力を保証する。
【００５４】
実施例４
本実施例において、凝集槽が工程５で循環水を洗濯槽に還流する過程を実行するとき、凝集槽が水位Ｌ３に達しているかどうかを判断する。達していない場合、引き続き水位Ｌ３まで還流し；達している場合、還流を停止し、その後、洗濯槽はすすぎプログラムを行い、前記すすぎ過程の時間はＴ４に設定する。すすぎプログラムが完了すると、所定のすすぎ回数に達しているかどうかを判断する必要がある。達している場合、凝集槽を洗浄してから、洗濯槽内の洗濯水を排出し；達していない場合、工程１を実行する。
【００５５】
本実施例において、Ｌ３水位は凝集槽から還流する最低水位であり、該水位は凝集槽内の凝集物を全て凝集槽内に残すことを保証するため、洗濯槽に還流しない。前記Ｔ４時間は、洗濯機が実行する洗濯モードに基づいて、計算し、設定したすすぎ時間である。
【００５６】
本実施例において、洗濯槽内の洗濯水を凝集槽に流入させて、凝集槽を洗い流し、その後、凝集槽から排出する。または、取水弁を開いて凝集槽内に取水し、凝集槽を洗い流して排出する。すすぎプログラムの終了後、洗濯水を利用するか、または新たに取水して、凝集槽を速やかに洗浄することにより、凝集槽の内壁の清浄度を保証し、凝集槽内に細菌が繁殖するのを防止する。
【００５７】
実施例５
本実施例において、凝集槽から凝集物を除く過程で、先に凝集槽内の水位が設定水位に達しているかどうかを測定する。達していない場合、凝集槽に設定水位まで取水し；達している場合、貯水を一定時間Ｔ５撹拌してから、凝集槽の排水を実行する。排水過程で、排水量が設定量Ｑの倍に達するたびに、凝集槽中の水を一定時間Ｔ６撹拌する。排水過程で間隔を開けて撹拌工程を実行することにより、一定時間排水した後、凝集物が集まって浮くとき、水を再び撹拌して、凝集物を終始水と混合させる。凝集物が排水過程で水面に集まるのを防止し、凝集槽の清浄度を高める。
【００５８】
本実施例において、排水量が設定量Ｑの倍に達するたびに、凝集槽の水位を測定する必要がある。測定値が０であるとき、凝集槽は空であり、凝集槽の自動洗浄過程が終了し；そうでなければ、撹拌工程を開始する。これにより、凝集槽がすでに空になった後も、凝集槽が依然として撹拌工程を実行するのを防止する。その後、凝集槽中に取水して洗い流し、排出する。
【００５９】
実施例６
本実施例において、前記洗濯機はさらに主制御盤、洗剤自動投入装置、水位測定装置、および衣類量取得装置を含む。前記主制御盤が洗濯プログラムを設定してから、衣類量取得装置が衣類量を取得し、端末が洗濯水量、洗剤投入量および洗濯時間などの洗濯パラメータを計算し、その後洗濯を起動する。計算量に基づいて、洗剤自動投入装置が洗剤を投入し、水位測定装置が取水量を測定する。
【００６０】
図２に示すように、ユーザは衣類を投入した後、電源を起動し、ユーザが洗濯モードを選択する。ユーザが通常モードを選択した場合、洗濯機は普通の洗濯プログラムの洗濯を実行する。
ユーザが節水モードを選択した場合、節水モードの洗濯を実行する。先に衣類量を測定し、洗濯機の主制御盤が、衣類量の結果およびユーザが選択したプログラムに基づいて、取水量／目標水位および洗剤投入量（洗濯機に衣類量取得装置を有さない場合、ユーザは手動により水位／水量を選択することができる）を計算する。洗濯機は取水弁から洗濯槽に取水して洗剤を自動投入し、設定水位／水量に達すると、洗濯を開始する。洗濯プログラムは、設定した洗濯過程が完了するまで通常プログラムと一致する。この過程において、洗濯機の主制御盤は、取水量および洗剤投入量に基づいて、水を凝集処理する循環回数、および毎回の循環過程における凝集剤投入量を計算する。
【００６１】
洗濯終了後、洗濯水は洗濯槽から凝集槽に排出され、さらにこの過程で凝集槽の水位を続けて測定する。撹拌水位Ｌ２に達したとき、設定時間Ｔ１の撹拌を開始し、撹拌を開始してＴ２後、凝集剤を投入し、続けて目標処理水位Ｌ１まで取水すると取水を停止する。このうちＬ１＞Ｌ２；Ｔ２＞Ｔ１である。撹拌終了後、静置過程に進み、これにより凝集物および処理水を層化し、Ｔ３時間計時すると、静置を終了する。処理後の水を底部から排出し、水ポンプを使用して主槽に回収する。水位測定値がＬ３に達すると、排水を終了し、Ｌ３は設定値である。これにより可能な限り多くの処理後の水を洗濯槽に戻して、凝集層が凝集槽内に残るのを確保し、洗濯機はすすぎを開始する。
【００６２】
水の還流が終了してからすすぎを開始するまでに、給水過程を追加する。給水の目標水位は、通常プログラムにおけるすすぎ水位と一致する。すすぎの終了後、計数し、計数値が設定値、すなわち設定したすすぎ回数に達するまで、次の循環を開始する。すすぎの終了後、洗濯水を排出して、凝集槽を洗浄する。排水の終了後、ユーザが選択したプログラムに基づいて、後続の脱水および／または乾燥などのプログラムを実行する。
【００６３】
凝集槽の洗浄プログラムに進み、洗浄プログラムの終了後、排水、脱水過程に進み、終了する。
【００６４】
要約すると、本発明は、洗濯機の洗濯過程およびすすぎ過程を、凝集過程と組み合わせるように設置することにより、洗濯過程の終了後、洗濯水を凝集槽に流入させる。排水過程で同時に洗濯水を撹拌し、一定時間撹拌して凝集剤を投入し、さらに引き続き撹拌することにより、洗濯水を充分に浄化し、処理した洗濯水を再び洗濯槽に還流する。さらに洗濯槽内の洗濯水位を測定し、洗濯水位に達していない場合、取水弁から洗濯水位に達するまで取水してから、すすぎ過程を行う。すすぎ過程の終了後、洗濯水を凝集槽に流入させ、上記工程に応じて洗濯水を処理する。その後、洗濯槽に還流し、すすぎ回数に達すると、洗濯を終了する。
【００６５】
以上の記載は、本発明の好ましい実施方式に過ぎない。当業者は、本発明の原理を逸脱しない前提で、数種の変形および改良を行うこともできるが、これも本発明の保護範囲と見なすべきであると指摘しなければならない。
【符号の説明】
【００６６】
１  凝集槽
２  第１水ポンプ
３  第２水ポンプ
４  排水弁
５  撹拌ブレード
６  駆動モータ
７  ノズル
８  ベルトプーリ
【図１】
0006802259.tif 000002
【図２】
0006802259.tif 000003
【図３】
0006802259.tif 000004
【図４】
0006802259.tif 000005
【図５】
0006802259.tif 000006